(57)【要約】【課題】素人であるビルオーナー等が容易に保守点検作業の様子が把握できるエレベータの保守点検作業報告装置を得る。【解決手段】複数の保守点検対象機器にそれぞれ設けられ、点検箇所情報を表わす複数の２次元バーコード５と、保守点検情報及び２次元バーコードの点検箇所情報を撮影するカメラ６と、映像を転送する映像データ転送装置７と、転送された映像を受信する映像データ受信装置８と、受信した映像を記録する映像記録装置９と、映像から２次元バーコードを読み取る情報処理装置１０と、２次元バーコードを認識し現在の保守点検内容を記録する保守作業記録装置１１と、保守点検情報及び作業構成情報が登録された保守情報保管装置１２と、読み出した保守点検情報と撮影したカメラ映像とを重畳させるデータ重畳処理装置１４と、重畳画像を転送する重畳データ転送装置１５とを備える。【選択図】図１
2011148570.tif 000002
【特許請求の範囲】
【請求項１】
エレベータの各機器を構成するとともに定期的な保守点検を必要とする複数の保守点検対象機器にそれぞれ設けられ、それぞれの点検箇所情報を表わす複数の２次元バーコードと、
前記各保守点検対象機器の保守点検情報及び前記２次元バーコードの点検箇所情報を撮影するカメラと、
前記カメラが撮影した映像を転送する映像データ転送装置と、
前記映像データ転送装置から転送された映像を受信する映像データ受信装置と、
前記映像データ受信装置が受信した映像を記録する映像記録装置と、
受信した映像から前記２次元バーコードを読み取り認識する情報処理装置と、
前記２次元バーコードを認識し現在の保守点検内容を記録する保守作業記録装置と、
保守点検内容を説明する保守点検情報及び作業構成情報が登録されている保守情報保管装置と、
前記保守情報保管装置から読み出した保守点検情報と前記カメラが撮影した映像とを重畳させるデータ重畳処理装置と、
前記データ重畳装置からの重畳画像を転送する重畳データ転送装置と、
を備えたことを特徴とするエレベータの保守点検作業報告装置。
【請求項２】
エレベータの各機器を構成するとともに定期的な保守点検を必要とする複数の保守点検対象機器にそれぞれ設けられ、それぞれの点検箇所情報を表わす複数の２次元バーコードと、
前記各保守点検対象機器の保守点検情報及び前記２次元バーコードの点検箇所情報を撮影するカメラと、
前記カメラが撮影した映像を転送する映像データ転送装置と、
前記映像データ転送装置から転送された映像を受信する映像データ受信装置と、
前記映像データ受信装置が受信した映像を記録する映像記録装置と、
受信した映像から前記２次元バーコードを読み取り認識する情報処理装置と、
前記２次元バーコードを認識し現在の保守点検内容を記録する保守作業記録装置と、
保守点検内容を説明する保守点検情報及び作業構成情報が登録されている保守情報保管装置と、
前記保守情報保管装置から読み出した保守点検情報と前記カメラが撮影した映像とを重畳させるデータ重畳処理装置と、
前記データ重畳装置からの重畳画像を転送する重畳データ転送装置と、
前記重畳データ転送装置から転送された重畳画像を受信する重畳データ受信装置と、
前記重畳データ受信装置が受信した重畳画像を表示する重畳データ表示装置と、
を備えたことを特徴とするエレベータの保守点検作業報告装置。
【請求項３】
保守情報保管装置の保守点検内容を説明する保守点検情報は、素人にも判り易いテキスト・イメージ画像からなることを特徴とする請求項１又は請求項２記載のエレベータの保守点検作業報告装置。
【請求項４】
保守情報保管装置の作業構成情報は、表示可能作業情報であり、順に作業する直列作業と順不同で作業可能な並列作業からなることを特徴とする請求項１〜請求項３のいずれかに記載のエレベータの保守点検作業報告装置。
【請求項５】
保守情報保管装置の作業構成情報は、保守情報更新装置により更新されるものであることを特徴とする請求項４記載のエレベータの保守点検作業報告装置。
【発明の詳細な説明】
【技術分野】
【０００１】
この発明は、ビルオーナー等にエレベータの保守点検作業を実際に見学できるようにしたエレベータの保守点検作業報告装置に関するものである。
【背景技術】
【０００２】
従来、ビルオーナー等は、エレベータの保守点検については、保守点検作業者が点検終了後に作成する報告書及び作業者からの口頭報告により、内容を把握しているのが実情である。また、例えビルオーナーから実際の点検作業現場を見学したいとの申し入れがあったとしても、安全な場所であるエレベータの外側からの見学のみで終わってしまうことが多いため、ビルオーナー側に不満が残ることが考えられる。
【０００３】
また、従来技術として、マイクロフォン、ヘッドフォン、ビデオカメラ、ビデオ表示器を搭載したコミュニケーションヘルメットと、無線送受信手段と、音声信号及びビデオ信号の記憶手段、操作表示器及び入力操作器を備えフリーハンドで携帯できるようにした信号処理手段を具備したコミュニケーションヘルメットが知られている（例えば、特許文献１参照）。また、他の従来技術として、複数の異なる保守点検箇所にそれぞれの保守点検箇所を特定するための情報を含んだ２次元コードが設けられた保守点検対象機器と、各保守点検箇所に関する保守点検用の情報を記憶した記憶手段と、２次元コードの読取り機能を有する情報発信機から送られてくる信号に基づいて保守点検箇所を特定する特定手段と、この特定手段によって特定された保守点検箇所に対応した保守点検用の情報を記憶手段から読み出して情報発信機の送信する送信手段とを具備したエレベータやエスカレータなどの保守点検作業に用いられる保守点検管理システムが知られている（例えば、特許文献２参照）。
【先行技術文献】
【特許文献】
【０００４】
【特許文献１】特開平９−９８３９５号公報
【特許文献２】特開２００７−１５３５８１号公報
【発明の概要】
【発明が解決しようとする課題】
【０００５】
従来のエレベータの保守点検のやり方では、保守点検作業者が点検終了後に作成する報告書及び作業者からの口頭報告により、保守点検作業の内容を把握しており、例えビルオーナーから実際の点検作業現場を見学したいとの申し入れがあったとしても、安全な場所であるエレベータの外側からの見学のみで終わってしまうため、ビルオーナー側には不満が残された形のままになる。
【０００６】
また、従来技術に記載されたものは、いずれも保守作業員とベテラン作業員や監視センタなど専門家同士を対象としたものであり、エレベータの保守点検の素人であるビルオーナー等を対象としたものではない。したがって、保守作業員による作業映像を見せても、素人が点検内容を理解することは困難である。また、無作為に映像と点検を結びつけると、実施していない点検項目の説明が行われたり、保守作業員の視点の移動によりチグハグな説明が行われたりしてしまうこととなり、実際の保守点検作業の内容を素人が容易に理解して把握できるための仕組みや工夫が今一つ物足りないものであった。
【０００７】
この発明は、上述のような課題を解決するためになされたもので、従来見学することができなかった場所を含め、素人であるビルオーナー等が容易に保守点検作業の様子が把握できるようにしたエレベータの保守点検作業報告装置を提供するものである。
【課題を解決するための手段】
【０００８】
この発明に係るエレベータの保守点検作業報告装置においては、エレベータの各機器を構成するとともに定期的な保守点検を必要とする複数の保守点検対象機器にそれぞれ設けられ、それぞれの点検箇所情報を表わす複数の２次元バーコードと、各保守点検対象機器の保守点検情報及び２次元バーコードの点検箇所情報を撮影するカメラと、カメラが撮影した映像を転送する映像データ転送装置と、映像データ転送装置から転送された映像を受信する映像データ受信装置と、映像データ受信装置が受信した映像を記録する映像記録装置と、受信した映像から２次元バーコードを読み取り認識する情報処理装置と、２次元バーコードを認識し現在の保守点検内容を記録する保守作業記録装置と、保守点検内容を説明する保守点検情報及び作業構成情報が登録されている保守情報保管装置と、保守情報保管装置から読み出した保守点検情報とカメラが撮影した映像とを重畳させるデータ重畳処理装置と、データ重畳装置からの重畳画像を転送する重畳データ転送装置とを備えたものである。
【０００９】
また、重畳データ転送装置から転送された重畳画像を受信する重畳データ受信装置と、重畳データ受信装置が受信した重畳画像を表示する重畳データ表示装置とを更に備えたものである。
【００１０】
また、保守情報保管装置の保守点検内容を説明する保守点検情報は、素人にも判り易いテキスト・イメージ画像からなるものである。
【００１１】
また、保守情報保管装置の作業構成情報は、表示可能作業情報であり、順に作業する直列作業と順不同で作業可能な並列作業からなるものである。
【００１２】
また、保守情報保管装置の作業構成情報は、保守情報更新装置により更新されるものである。
【発明の効果】
【００１３】
この発明によれば、ビルオーナーは保守作業員と同じ目線で保守点検作業をリアルタイムに確認することができるので、説得力があり不信感を解消することができる。また、ビルオーナーへの報告の際、実際の映像を元にした保守点検作業の内容を、テキストやイメージ図などによって素人でも容易に理解できるようにすることができ、従来は危険で見学することができなかった点検箇所の内容も把握できるようになる。また、実際の映像をダイジェスト版にしてＤＶＤなどに落とすことができるので、何時でもビルオーナーに対する報告が可能となる。
【図面の簡単な説明】
【００１４】
【図１】この発明の実施の形態１におけるエレベータの保守点検作業報告装置の全体構成を示すシステム構成図である。
【図２】この発明の実施の形態１におけるエレベータの保守点検作業報告装置の保守点検作業の流れを説明するためのフローチャートである。
【図３】この発明の実施の形態１におけるエレベータの保守点検作業報告装置の直列作業と並列作業の流れを示す説明図である。
【発明を実施するための形態】
【００１５】
実施の形態１．
この発明のエレベータの保守点検作業報告装置は、図１に示すように、エレベータ側装置１と、保守側装置２と、保守点検作業報告装置３と、ビルオーナー側装置４とから構成されている。そして、エレベータ側装置１は、エレベータの各機器を構成するとともに定期的な保守点検を必要とする複数の保守点検対象機器にそれぞれ設けられ、それぞれの点検箇所情報を表わす複数の２次元バーコード５（例えば、Ａ〜Ｃ）からなる。この複数の２次元バーコード５は、Ａ〜Ｃに限らず定期的な保守点検を必要とする複数の保守点検対象機器の全てに設けられる。保守側装置２は、保守作業員のヘルメット等に設置され、各保守点検対象機器の保守点検映像及びその２次元バーコード５の点検箇所情報を撮影するカメラ６と、カメラ６が撮影した映像を転送する映像データ転送装置７とを備えている。保守点検作業報告装置３は、保守側装置２の映像データ転送装置７から転送された映像を受信する映像データ受信装置８と、映像データ受信装置８が受信した映像を記録する映像記録装置９と、受信した映像から２次元バーコード５を読み取り認識する情報処理装置１０と、２次元バーコード５を認識し現在の保守点検内容を記録する保守作業記録装置１１と、保守点検内容をビルオーナー等の素人にも判り易く説明するテキスト・イメージ画像等の保守点検情報及び作業構成情報等が登録・保存されている保守情報保管装置１２と、保守情報保管装置１２に保存されている保守情報を必要時に更新する保守情報更新装置１３と、保守情報保管装置１２から読み出した保守点検情報とカメラ６が撮影した映像とを重畳させるデータ重畳処理装置１４と、データ重畳処理装置１４からの重畳画像を転送する重畳データ転送装置１５とを備えている。ビルオーナー側装置４は、保守点検作業報告装置３の重畳データ転送装置１５から転送された重畳画像を受信する重畳データ受信装置１６と、重畳データ受信装置１６が受信した重畳画像を表示する重畳データ表示装置１７とを備えている。なお、ビルオーナー側装置４は、通常のパソコンで、必要な時に接続されるものであっても良い。
【００１６】
次に、図２によりエレベータの保守点検作業報告装置の保守点検作業の流れについて説明する。
先ず、前提として、エレベータの各機器を構成する複数の保守点検対象機器には、それぞれの点検箇所情報を表わす複数の２次元バーコード５（例えば、Ａ〜Ｃ）が設けられており、２次元バーコード５は、Ａ〜Ｃに限らず定期的な保守点検を必要とする複数の保守点検対象機器の全てに設けられているものとする。また、保守作業員のヘルメット等に設置されたカメラ６は、各保守点検対象機器の保守点検映像及びその２次元バーコード５の点検箇所情報を撮影する。そして、カメラ６が撮影した映像は保守側装置２の映像データ転送装置７から転送され、保守点検作業報告装置３の映像データ受信装置８が映像を受信し（ステップＳ１）、受信した映像は映像記録装置９に記録する（ステップＳ２）。次に、撮影した２次元バーコード５を情報処理装置１０で読み取り２次元バーコード５を認識する。そして、２次元バーコード５を一定時間連続して認識しているか否かを判断する（ステップＳ４）。このステップＳ４は、作業員のくせやその他の事情等による視点の移動を排除するためのものである。ステップＳ４で２次元バーコード５を一定時間連続して認識していれば、保守情報保管装置１２から表示可能作業情報を読み出し（ステップＳ５）、解説表示可能な作業か否かを判断し（ステップＳ６）、解説表示可能な作業であれば保守情報保管装置１２から作業構成情報を読み出す（ステップＳ７）。ここで、表示可能作業情報としては、例えば、図３に示すような作業一覧を保持している。この作業一覧は、直列作業が作業Ａ１→作業Ｂ１→作業Ｃ１→作業Ｄ１の順に作業され、並列作業の作業Ｂ１〜作業Ｂ５は順不同で作業可能であることを意味している。２次元バーコード５から認識した作業が、この表示可能作業一覧に該当する場合、解説表示が行われる。そして、この作業一覧は、認識した作業と作業構成情報を元に更新される（ステップＳ８）。例えば、図３において、最初の作業一覧は作業Ａ１である。認識した作業がＡ１であった場合、作業一覧はＢ１〜Ｂ５に更新される。次に認識した作業がＢ２だった場合、作業一覧はＢ１、Ｂ３〜Ｂ５になる。Ｂ１〜Ｂ５を全て実施した場合、作業一覧はＣ１となる。なお、ここでは、説明がチグハグにならないように保守情報保管装置１２に登録・保存されている作業構成情報に沿って保守点検内容情報を取り出す。次に、２次元バーコード５を認識し現在の保守点検内容を、保守作業記録装置１１に記録するとともに（ステップＳ９）、保守情報保管装置１２から該当の保守点検内容情報を読み出し（ステップＳ１０）、データ重畳処理装置１４によりカメラ映像に重畳する（ステップＳ１１）。そして、重畳データ転送装置１５によりビルオーナー側装置４の重畳データ受信装置１６に転送する（ステップＳ１２）。ビルオーナー側装置４は、重畳データ受信装置１６が受信した重畳データを重畳データ表示装置１７に表示する。これにより、実際の映像を元にした保守点検作業の内容を、テキストやイメージ図などによって素人でも容易に理解できるような表示となる。
【００１７】
この発明のエレベータの保守点検作業報告装置によれば、ビルオーナーは保守作業員と同じ目線で保守点検作業をリアルタイムに確認することができるので、説得力があり不信感を解消することができる。また、ビルオーナーへの報告の際、実際の映像を元にした保守点検作業の内容を、テキストやイメージ図などによって素人でも容易に理解できるようにすることができ、従来は危険で見学することができなかった点検箇所の内容も把握できるようになる。また、実際の映像をダイジェスト版にしてＤＶＤなどに落とすことができるので、何時でもビルオーナーに対する報告が可能となる。
【符号の説明】
【００１８】
１  エレベータ側装置
２  保守側装置
３  保守点検作業報告装置
４  ビルオーナー側装置
５  ２次元バーコード  
６  カメラ  
７  映像データ転送装置
８  映像データ受信装置
９  映像記録装置
１０  情報処理装置
１１  保守作業記録装置
１２  保守情報保管装置  
１３  保守情報更新装置  
１４  データ重畳処理装置
１５  重畳データ転送装置
１６  重畳データ受信装置
１７  重畳データ表示装置
【図１】
2011148570.tif 000003
【図２】
2011148570.tif 000004
【図３】
2011148570.tif 000005